(57)【要約】【課題】スマートデバイス等の情報端末から、画像処理装置の機器構成に応じた詳細な機能を利用する際の利便性を向上させる画像処理装置を提供する。【解決手段】画像処理装置は、情報端末から第１の設定情報を受信する受信手段と、前記受信した第１の設定情報に基づいて、第２の設定情報を設定するための設定画面を前記情報端末に提供する提供手段と、前記受信した第１の設定情報と、前記設定画面によって設定された第２の設定情報とに基づいて画像処理を実行する画像処理手段と、を有する。【選択図】図４
2016168708.tif 000002
【特許請求の範囲】
【請求項１】
情報端末から第１の設定情報を受信する受信手段と、
前記受信した第１の設定情報に基づいて、第２の設定情報を設定するための設定画面を前記情報端末に提供する提供手段と、
前記受信した第１の設定情報と、前記設定画面によって設定された第２の設定情報とに基づいて画像処理を実行する画像処理手段と、
を有する画像処理装置。
【請求項２】
前記第２の設定情報は、
前記画像処理装置の機器構成に応じた設定情報を含む請求項１に記載の画像処理装置。
【請求項３】
前記第２の設定情報は、
ステープルの設定情報、又は両面処理の設定情報を含む請求項１又は２に記載の画像処理装置。
【請求項４】
前記第１の設定情報は、
他の画像処理装置と共通の設定情報を含む請求項１乃至３のいずれか一項に記載の画像処理装置。
【請求項５】
前記第１の設定情報は、
部数の設定情報、又はカラーの設定情報を含む請求項１乃至４のいずれか一項に記載の画像処理装置。
【請求項６】
前記第１の設定情報は、
前記情報端末が前記設定画面を表示する表示画面に関する情報を含む請求項１乃至５のいずれか一項に記載の画像処理装置。
【請求項７】
前記第１の設定情報に基づいて前記設定画面を作成する作成手段を有する請求項１乃至６のいずれか一項に記載の画像処理装置。
【請求項８】
前記第１の設定情報に基づいて前記画像処理装置の機器構成に応じた機能の情報を前記情報端末に通知する機能情報通知手段を有し、
前記受信手段が、前記情報端末から前記画像処理装置の機器構成に応じた機能のうち少なくとも１つの機能を選択する第３の設定情報を受信した場合、
前記提供手段は、
前記受信手段が受信した前記第１の設定情報と前記第３の設定情報とに基づいて、前記第２の設定情報を設定するための設定画面を前記情報端末に提供する請求項１乃至６のいずれか一項に記載の画像処理装置。
【請求項９】
近距離無線通信により、前記情報端末に前記画像処理装置の接続情報を通知する接続情報通知手段を有する請求項１乃至８のいずれか一項に記載の画像処理装置。
【請求項１０】
請求項１乃至９のいずれか一項に記載の画像処理装置と、
情報端末を、
第１の設定画面を表示する表示入力手段、
前記第１の設定画面で設定された第１の設定情報を前記画像処理装置に送信する送信手段、及び
前記送信した第１の設定情報に基づいて前記画像処理装置から提供された第２の設定画面を前記表示入力手段に表示させ、前記第２の設定画面への第２の設定情報の設定を受付ける設定制御手段、
として機能させるためのプログラムと、
を含む画像処理システム。
【発明の詳細な説明】
【技術分野】
【０００１】
本発明は、画像処理装置、及び画像処理システムに関する。
【背景技術】
【０００２】
例えば、印刷、コピー、スキャン、ファクシミリ送信等の複数の機能を有するＭＦＰ（Multifunction Peripheral/Product）等の画像形成装置が知られている。また、スマートフォンや、タブレット端末等のスマートデバイスから、無線通信を介して画像形成装置の機能を利用する技術が知られている。
【０００３】
これに関連する技術として、ＭＦＰから携帯端末にジョブの機能情報を送信し、携帯端末の画面上に設定可能な機能のみを表示させることにより、操作画面を簡素化すると共に操作性を向上させる画像形成システムが知られている（例えば、特許文献１参照）。また、機種の異なる他の電子機器から取得した操作画面情報に基づいて他の電子機器と共通の共通操作画面を表示し、この共通操作画面への操作に基づいてジョブを実行する電子機器が知られている（例えば、特許文献２参照）。
【発明の概要】
【発明が解決しようとする課題】
【０００４】
スマートデバイス上で動作するアプリケーションを用いて画像処理装置の機種に依存する機能を利用する場合、従来は、アプリケーション内に、画像処理装置の機種に依存する機能の設定画面や設定情報等を用意していた。そのため、アプリケーションのサイズが大きくなり、また、新たな機種が発売されるたびにアプリケーションに新たな機能や、設定画面等の情報を追加する必要があった。
【０００５】
また、特許文献２に開示された技術のように、他の電子機器から取得した操作画面情報に基づいて他の電子機器と共通の共通操作画面を作成する方法では、画像処理装置の機種に依存する詳細な機能の設定を行うことは困難であった。
【０００６】
このように、スマートデバイス等の情報端末から、画像処理装置の機器構成に応じた詳細な機能を利用する際には、利便性の面で問題があった。
【０００７】
本発明の実施の形態は、上記問題点に鑑みてなされたものであって、スマートデバイス等の情報端末から、画像処理装置の機器構成に応じた詳細な機能を利用する際の利便性を向上させる画像処理装置を提供することを目的とする。
【課題を解決するための手段】
【０００８】
上記課題を解決するため、本発明の一実施形態に係る画像処理装置は、情報端末から第１の設定情報を受信する受信手段と、前記受信した第１の設定情報に基づいて、第２の設定情報を設定するための設定画面を前記情報端末に提供する提供手段と、前記受信した第１の設定情報と、前記設定画面によって設定された第２の設定情報とに基づいて画像処理を実行する画像処理手段と、を有する。
【発明の効果】
【０００９】
本発明の実施の形態によれば、スマートデバイス等の情報端末から、画像処理装置の機器構成に応じた詳細な機能を利用する際の利便性を向上させる画像処理装置を提供することができる。
【図面の簡単な説明】
【００１０】
【図１】一実施形態に係る画像処理システムの構成例を示す図である。
【図２】一実施形態に係る画像形成装置のハードウェア構成例を示す図である。
【図３】一実施形態に係る情報端末のハードウェア構成例を示す図である。
【図４】第１の実施形態に係る画像処理システムの機能構成例を示す図である。
【図５】第１の実施形態に係る情報端末に対するユーザの操作の流れを示すフローチャートである。
【図６】第１の実施形態に係る機能選択画面の例を示す図である。
【図７】第１の実施形態に係る基本機能の設定画面の例を示す図である。
【図８】第１の実施形態に係る詳細機能の設定画面の一例を示す図である。
【図９】第１の実施形態に係る詳細機能の設定画面の別の一例を示す図である。
【図１０】第１の実施形態に係る画像処理の例を示すシーケンスチャートである。
【図１１】第２の実施形態に係る画像処理システムの機能構成例を示す図である。
【図１２】第２の実施形態に係る情報端末に対するユーザの操作の流れを示すフローチャートである。
【図１３】第２の実施形態に係る基本機能の設定画面の例を示す図である。
【図１４】第２の実施形態に係る機能の一覧画面の例を示す図である。
【図１５】第２の実施形態に係る詳細機能の設定画面の例を示す図である。
【図１６】第２の実施形態に係る画像処理の例を示すシーケンスチャートである。
【発明を実施するための形態】
【００１１】
以下に、本発明の実施の形態について、添付の図面を参照して説明する。
【００１２】
＜システムの構成＞
図１は一実施形態に係る画像処理システムの構成例を示す図である。画像処理システム１００は、例えば、インターネットやＬＡＮ（Local Area Network）等のネットワーク１０５に接続された画像形成装置１０１及びアクセスポイント１０４と、利用者１０３が保有する情報端末１０２とを含む。
【００１３】
画像形成装置１０１は、例えば、印刷、スキャン、コピー、ファクシミリ等の複数の機能を１つの筐体に収めたＭＦＰ（Multifunction Peripheral/Product）である。或いは、画像形成装置１０１は、プリンタ、スキャナ、コピー機、ファクシミリ装置等の単機能の画像形成装置であっても良い。尚、画像形成装置１０１は、本実施形態に係る画像処理装置の一例である。
【００１４】
画像形成装置１０１は、例えば、有線／無線ＬＡＮ等によってネットワーク１０５に接続されている。或いは、画像形成装置１０１は、Ｗｉ−Ｆｉ Ｄｉｒｅｃｔ（登録商標）や、無線ＬＡＮのアクセスポイントの機能等を有し、自ら無線ＬＡＮ等によるネットワーク１０５を提供するものであっても良い。
【００１５】
画像形成装置１０１は、ＮＦＣ（Near Field Communication）通信機能を有しており、画像形成装置１０１の操作パネル等に設けられたＮＦＣリーダ／ライタに情報端末１０２を近接させることにより、情報端末１０２とＮＦＣ通信を行うことができる。
【００１６】
情報端末１０２は、利用者１０３が使用する、例えば、スマートフォンや、タブレット端末等の情報処理装置である。また、情報端末１０２は、携帯電話、タブレット端末、ゲーム機、ＰＤＡ、デジタルカメラ等の電子機器であっても良い。情報端末１０２は、例えば、無線ＬＡＮにより、アクセスポイント１０４を介してネットワーク１０５に接続することができる。
【００１７】
また、情報端末１０２は、ＮＦＣ通信機能を有しており、情報端末１０２を画像形成装置１０１のＮＦＣリーダ／ライタ等に所定の距離（例えば、１０ｃｍ以内）まで近接させることにより、画像形成装置１０１とＮＦＣ通信を行うことができる。尚、ＮＦＣ通信は、近距離無線通信の一例であり、情報端末１０２と画像形成装置１０１は、他の近距離無線通信規格等に基づいて近距離無線通信を行うものであっても良い。
【００１８】
アクセスポイント１０４は、情報端末１０２等の無線ＬＡＮ機器をネットワーク１０５に接続するための接続装置である。アクセスポイント１０４は、ネットワーク１０５への接続を要求する無線ＬＡＮ機器の認証を行い、認証が許可された無線ＬＡＮ機器をネットワーク１０５へ接続する。アクセスポイント１０４により認証が許可された無線ＬＡＮ機器は、ネットワーク１０５を介して、画像形成装置１０１等のネットワーク機器とデータの送受信が可能となる。
【００１９】
上記構成において、利用者１０３は、情報端末１０２で動作する画像形成装置１０１に対応したアプリケーションプログラム（以下、アプリと呼ぶ）を用いて、画像形成装置１０１の制御を行うことができる。
【００２０】
例えば、利用者１０３は、情報端末１０２でアプリを起動させて、画像形成装置１０１の基本機能の設定を行い、情報端末１０２を画像形成装置１０１のＮＦＣリーダ／ライタ等に近接させる。
【００２１】
これにより、情報端末１０２は、ＮＦＣ通信により画像形成装置１０１から、画像形成装置１０１への接続情報を取得し、取得した接続情報を用いて、アクセスポイント１０４等を介してネットワーク１０５に接続する。尚、この接続情報には、例えば、画像形成装置１０１のＩＰ（Internet Protocol）アドレスや、アクセスポイント１０４のＳＳＩＤ（Service Set Identifier）、暗号化情報、認証情報等が含まれる。
【００２２】
また、情報端末１０２は、利用者１０３によって設定された設定情報（第１の設定情報）を画像形成装置１０１に送信する。この第１の設定情報には、例えば、画像形成装置１０１の機種や、装着されているオプション等の機器構成に依存する機能等の詳細機能の設定を行うか否かを示す情報が含まれる。
【００２３】
詳細機能の設定を行うことを示す情報が含まれる場合、画像形成装置１０１は、受信した第１の設定情報に基づいて詳細機能の設定画面を作成し、作成した設定画面を、例えば、リモートデスクトップサーバ等の機能を用いて情報端末１０２に提供する。
【００２４】
情報端末１０２は、例えば、リモートデスクトップクライアント等の機能を用いて、画像形成装置１０１によって提供された詳細機能の設定画面を表示させ、利用者１０３に詳細機能の設定を促す。
【００２５】
利用者１０３により詳細機能の設定が行われると、画像形成装置１０１は、情報端末１０２から受信した第１の設定情報と、詳細機能の設定画面によって設定された設定情報（第２の設定情報）とに基づいて画像処理を実行する。
【００２６】
このように、本実施形態に係る画像処理システム１００では、画像形成装置１０１の機種や、装着されているオプション等の機器構成に関する詳細機能の設定画面は、画像形成装置１０１によって提供される。従って、情報端末１０２のアプリは、画像形成装置１０１の詳細な機能や、設定画面等の情報を有していなくても良いので、アプリのサイズを抑制することができる。また、画像形成装置１０１に新たな機能が追加された場合であっても、アプリケーションの改変を必ずしも行わなくても良い。
【００２７】
従って、本実施形態に係る画像形成装置１０１によれば、スマートデバイス等の情報端末１０２から、画像形成装置１０１の機種に依存する機能等の詳細な機能を利用する際の利便性を向上させることができる。
【００２８】
尚、図１のシステム構成はあくまで一例である。例えば、図１のアクセスポイント１０４の機能は画像形成装置１０１が有していても良い。また、画像形成装置１０１は、Ｗｉ−Ｆｉ Ｄｉｒｅｃｔ（登録商標）等の機能を有し、ネットワーク１０５を自ら提供するものであっても良い。
【００２９】
＜ハードウェア構成＞
（画像形成装置のハードウェア構成）
図２は、一実施形態に係る画像形成装置のハードウェア構成例を示す図である。画像形成装置１０１は、コントローラ２０１、画像読取部２０２、プロッタ部２０３、画像処理・エンジン制御部２０４、ＦＡＸ部２０５、ストレージ部２０６、操作部２０７、ＮＦＣ Ｒ／Ｗ（Reader/Writer）部２０８等を有する。
【００３０】
コントローラ２０１は、一般的なコンピュータの構成を有しており、例えば、ＣＰＵ（Central Processing Unit）２０９、ＲＡＭ（Random Access Memory）２１０、ＲＯＭ（Read Only Memory）２１１、外部Ｉ／Ｆ（Interface）部２１２、操作Ｉ／Ｆ部２１３、ＮＦＣ Ｉ／Ｆ部２１４、ネットワークＩ／Ｆ部２１５等が、バス２１６を介して接続されている。
【００３１】
ＣＰＵ２０９は、ＲＯＭ２１１やストレージ部２０６等に格納されたプログラムやデータをＲＡＭ２１０上に読み出し、処理を実行することにより、画像形成装置１０１の各機能を実現する演算装置である。ＲＡＭ２１０は、ＣＰＵ２０９のワークエリア等として用いられる揮発性のメモリである。ＲＯＭ２１１は、電源を切ってもプログラムやデータを保持する不揮発性のメモリであり、例えば、フラッシュＲＯＭ等により構成される。
【００３２】
外部Ｉ／Ｆ部２１２は、外部装置とのインタフェースである。外部装置には、例えば、ＵＳＢ（Universal Serial Bus）メモリ、メモリカード、光学ディスク等の記録媒体や、各種の情報端末等が含まれる。操作Ｉ／Ｆ部２１３は、操作部２０７をコントローラ２０１に接続するためのインタフェースである。ＮＦＣ Ｉ／Ｆ部２１４は、ＮＦＣ通信により、ＮＦＣ機器に対するデータの読み込み、書き込み等を行うＮＦＣ Ｒ／Ｗ部２０８をコントローラ２０１に接続するためのインタフェースである。
【００３３】
ネットワークＩ／Ｆ部２１５は、例えば、画像形成装置１０１をネットワーク１０５に接続し、ネットワーク１０５に接続された機器とデータの送受信を行うためのインタフェースである。また、ネットワークＩ／Ｆ部２１５は、例えば、Ｗｉ−Ｆｉ Ｄｉｒｅｃｔ等や、無線ＬＡＮのアクセスポイントの機能を有し、自ら無線ＬＡＮによるネットワーク１０５を提供するものであっても良い。バス２１６は、アドレス信号、データ信号、及び各種制御信号等を伝達する。
【００３４】
画像読取部２０２は、画像処理・エンジン制御部２０４の制御に従って、原稿等の画像を読取るスキャナエンジン等である。プロッタ部２０３は、画像処理・エンジン制御部２０４の制御に従って、紙等に画像を出力するプリンタエンジン等である。画像処理・エンジン制御部２０４は、画像読取部２０２や、プロッタ部２０３を制御して、画像処理を実行する。
【００３５】
ＦＡＸ部２０５は、ファックスの送受信を行うハードウェアエンジンと、その制御部等を含む。ストレージ部２０６は、例えば、ＨＤＤ（Hard Disk Drive）や、ＳＳＤ（Solid State Drive）等のストレージ装置であり、例えば、ＯＳ（Operation System）、アプリケーションプログラム、画像データ等を含む各種の情報及びデータを記憶する。
【００３６】
操作部２０７は、利用者からの入力操作を受付けるためのハードウェア（操作部）であると共に、ユーザに向けた表示を行うハードウェア（表示部）である。尚、図２の例では、操作部２０７は、ＮＦＣ通信により、ＮＦＣ機器に対するデータの読み込み、書き込み等を行うＮＦＣ Ｒ／Ｗ部２０８を備えている。尚、図２の構成はあくまで一例であって、ＮＦＣ Ｒ／Ｗ部２０８は、操作部とは別に設けられているものであっても良い。
【００３７】
（情報端末のハードウェア構成）
図３は、一実施形態に係る情報端末のハードウェア構成例を示す図である。情報端末１０２は、一般的なコンピュータの構成を有しており、例えば、ＣＰＵ３０１、ＲＡＭ３０２、ＲＯＭ３０３、ストレージ部３０４、ＮＦＣ Ｉ／Ｆ部３０５、ネットワークＩ／Ｆ部３０６、表示入力部３０７、外部Ｉ／Ｆ部３０８、及びバス３０９等を含む。
【００３８】
ＣＰＵ３０１は、ＲＯＭ３０３やストレージ部３０４等に格納されたプログラムやデータをＲＡＭ３０２上に読み出し、処理を実行することで、情報端末１０２の各機能を実現する演算装置である。ＲＡＭ３０２は、ＣＰＵ３０１のワークエリア等として用いられる揮発性のメモリである。ＲＯＭ３０３は、電源を切ってもプログラムやデータを保持する不揮発性のメモリであり、例えば、フラッシュＲＯＭ等により構成される。ストレージ部３０４は、例えば、ＨＤＤや、ＳＳＤ等のストレージ装置であり、例えば、ＯＳ、アプリケーションプログラム、及び各種データ等を記憶する。
【００３９】
ＮＦＣ Ｉ／Ｆ部３０５は、ＮＦＣ通信による近距離無線通信を行うための通信インタフェースである。ネットワークＩ／Ｆ部３０６は、情報端末１０２をネットワーク１０５に接続し、画像形成装置１０１とデータの送受信を行うための、例えば、無線ＬＡＮ等の通信インタフェースである。
【００４０】
表示入力部３０７は、例えば、タッチパネルとディスプレイが一体化されたタッチパネルディスプレイ等であり、情報端末１０２に操作を行うための入力部と、情報端末１０２の処理結果等を表示する表示部とを含む。尚、表示入力部３０７は、表示部と入力部とが別々に設けられているものであっても良い。外部Ｉ／Ｆ部３０８は、外部装置とのインタフェースである。外部装置には、例えば、ＵＳＢメモリ、メモリカード、光学ディスク等の記録媒体や、画像形成装置１０１等の電子機器等が含まれる。バス３０９は、アドレス信号、データ信号、及び各種制御信号等を伝達する。
【００４１】
［第１の実施形態］
＜機能構成＞
図４は、一実施形態に係る画像処理システムの機能構成例を示す図である。図４において、画像処理システム１００は、画像形成装置１０１と、情報端末１０２とを含む。画像形成装置１０１と、情報端末１０２とは、例えば、ＮＦＣ通信等の近距離無線通信４２０により、データの送受信が可能である。また、画像形成装置１０１は、例えば、有線／無線ＬＡＮ等により、ネットワーク１０５に接続されている。さらに、情報端末１０２は、例えば、無線ＬＡＮ通信等により、ネットワーク１０５に接続可能である。
【００４２】
尚、情報端末１０２のネットワーク１０５への接続は、必ずしも図１のアクセスポイント１０４を経由するものでなくても良いので、図４の機能構成例ではアクセスポイント１０４の記載を省略している。
【００４３】
（画像形成装置の機能構成）
画像形成装置１０１は、通信手段４０１、設定情報受信手段４０２、設定画面作成手段４０３、設定画面提供手段４０４、画像処理手段４０５、近距離無線通信手段４０６、接続情報通知手段４０７、表示入力手段４０８、記憶手段４０９等を有する。
【００４４】
通信手段４０１は、画像形成装置１０１をネットワーク１０５に接続して、他のネットワーク機器とのデータ通信を実現するための手段であり、例えば、図２のネットワークＩ／Ｆ部２１５や、ＣＰＵ２０９で動作するプログラム等によって実現される。
【００４５】
設定情報受信手段（受信手段）４０２は、情報端末１０２から、通信手段４０１を介して、設定情報（第１の設定情報）を受信する手段であり、例えば、図２のＣＰＵ２０９で動作するプログラムによって実現される。設定情報受信手段（受信手段）４０２が情報端末１０２から受信する第１の設定情報には、例えば、使用する機能（コピー、印刷等）に関する情報、部数の情報、カラー（白黒、カラー等）の情報等、他の画像形成装置と共通の基本的な設定情報が含まれる。
【００４６】
また、設定情報受信手段（受信手段）４０２が情報端末１０２から受信する第１の設定情報には、例えば、画像形成装置１０１の機種や、画像形成装置１０１が有するオプション機能等に応じた詳細な設定情報の設定を行うか否かを示す情報が含まれる。好ましくは、設定情報受信手段（受信手段）４０２が情報端末１０２から受信する第１の設定情報には、情報端末１０２の表示入力手段４１９の情報（例えば、表示入力部３０７の表示画面のサイズ、解像度等）が含まれる。
【００４７】
尚、設定情報受信手段４０２は、第１の設定情報以外の設定情報も受信可能である。
【００４８】
設定画面作成手段４０３は、情報端末１０２から受信した設定情報（第１の設定情報）や、記憶手段４０９に記憶された機器構成情報４１１等に基づいて、画像形成装置１０１の詳細な設定情報（第２の設定情報）を設定するための設定画面を作成する。尚、設定画面作成手段４０３は、例えば、図２のＣＰＵ２０９で動作するプログラムによって実現される。設定画面作成手段４０３は、設定情報受信手段４０２が情報端末１０２から受信した設定情報に、詳細な設定情報の設定を行うことを示す情報が含まれている場合に、詳細な設定情報を設定するための設定画面を作成することが望ましい。
【００４９】
好ましくは、設定画面作成手段４０３は、設定情報受信手段４０２が情報端末１０２から受信した設定情報に含まれる情報端末１０２の表示入力手段４１９の情報に応じて、詳細な設定情報を設定するための設定画面を作成する。
【００５０】
設定画面提供手段４０４は、設定画面作成手段４０３が作成した、詳細な設定情報を設定するための設定画面を情報端末１０２に提供する手段であり、例えば、図２のＣＰＵ２０９で動作するプログラムによって実現される。
【００５１】
例えば、設定画面提供手段４０４は、図２のＣＰＵ２０９で動作するリモートデスクトップサーバ等によって実現される。この場合、設定画面提供手段４０４は、設定画面作成手段４０３が作成した設定画面を、リモートデスクトップ機能を用いて情報端末１０２のリモートデスクトップクライアントに提供（転送）する。
【００５２】
画像処理手段４０５は、設定情報受信手段４０２の受信した第１の設定情報と、設定画面提供手段４０４が提供する設定画面で設定された第２の設定情報とに基づいて、画像処理、例えば、印刷、スキャン、ファックス送信等を実行する。画像処理手段４０５は、例えば、図２の画像処理・エンジン制御部２０４、画像読取部２０２、プロッタ部２０３、ＦＡＸ部２０５、及びＣＰＵ２０９で動作するプログラム等によって実現される。
【００５３】
近距離無線通信手段４０６は、ＮＦＣ通信等の近距離無線通信によって情報端末１０２と通信を行うための手段であり、例えば、図２のＮＦＣ Ｒ／Ｗ部２０８、ＮＦＣ Ｉ／Ｆ部２１４、及びＣＰＵ２０９で動作するプログラム等によって実現される。
【００５４】
接続情報通知手段４０７は、近距離無線通信手段４０６を介して、情報端末１０２に画像形成装置１０１の接続情報を通知する手段であり、例えば、図２のＣＰＵ２０９で動作するプログラムによって実現される。
【００５５】
ここで、接続情報４１０について説明する。
【００５６】
【表１】
2016168708.tif 000003
表１は、接続情報４１０の一例を示す。
【００５７】
表１に示すように、接続情報４１０は、例えば、ＳＳＩＤ、ネットワーク暗号化方式、ネットワークパスワード、画像形成装置のＩＰアドレス等の情報を含む。
【００５８】
ＳＳＩＤは、ネットワーク１０５に無線ＬＡＮのアクセスポイントを介して接続する際に用いる無線ＬＡＮネットワークの識別子である。ネットワーク暗号化方式、及びネットワークパスワードは、無線ＬＡＮネットワークへの接続に用いる、暗号キー、パスワード情報、又は証明書情報等の情報である。
【００５９】
画像形成装置のＩＰアドレスは、画像形成装置１０１のＩＰアドレスや、ＭＡＣアドレス等、ネットワーク１０５を介して画像形成装置１０１にデータを送信するための宛先情報である。
【００６０】
表示入力手段４０８は、画像形成装置１０１の操作画面や、設定画面等を表示すると共に、利用者の操作を受付ける手段であり、例えば、図２の操作部２０７や、ＣＰＵ２０９で動作するプログラム等によって実現される。
【００６１】
記憶手段４０９は、例えば、接続情報４１０、機器構成情報４１１、画像データ４１２、及び基本設定情報４１３等の各種情報を記憶する手段であり、例えば、図２のストレージ部２０６や、ＲＯＭ２１１等によって実現される。
【００６２】
画像データ４１２は、画像処理手段４０５による画像処理によって生成された画像データや、画像処理手段４０５の処理対象となる画像データ等を含む。
【００６３】
基本設定情報４１３は、設定情報受信手段４０２が情報端末１０２から受信し、記憶手段４０９に記憶した基本的な設定情報（第１の設定情報）である。
【００６４】
機器構成情報４１１は、画像形成装置１０１の機種や、装着されているオプション等、画像形成装置１０１の機器構成に関する情報である。
【００６５】
ここで、機器構成情報４１１について説明する。
【００６６】
【表２】
2016168708.tif 000004
表２は、機器構成情報４１１の一例を示す。
【００６７】
表２に示すように、機器構成情報４１１には、例えば、ステープル、ソーター、ＨＤＤ、両面ユニット、印字機構等、画像形成装置１０１が有する機器の構成を示す情報が含まれる。
【００６８】
表２において、ステープルは、画像形成装置１０１のステープル（ホチキス）機能に関する情報（例えば、ステープル機能の有無等）である。ソーターは、画像形成装置１０１のソーター機能に関する情報（例えば、ソーターの有無、ソーターの種類等）である。ＨＤＤは、画像形成装置１０１のＨＤＤに関する情報（例えば、ＨＤＤの有無、容量、空き容量等）である。両面ユニットは、画像形成装置１０１の両面ユニット機能に関する情報（例えば、両面ユニットの有無、種類等）である。印字機構は、画像形成装置１０１の印字機能に関する情報である。
【００６９】
図４の構成により、画像形成装置１０１は、近距離無線通信手段４０６に近接した情報端末１０２に画像形成装置１０１の接続情報を通知する。
【００７０】
また、画像形成装置１０１は、ネットワーク１０５を介して、情報端末１０２から基本的な設定情報（第１の設定情報）を受信すると、受信した基本的な設定情報に基づいて、詳細な設定情報を設定するための設定画面を情報端末１０２に提供する。
【００７１】
さらに、画像形成装置１０１は、情報端末１０２から受信した基本的な設定情報（第１の設定情報）と、詳細な設定情報を設定するための設定画面によって設定された詳細な設定情報（第２の設定情報）とに基づいて、画像処理を実行する。
【００７２】
（情報端末の機能構成）
情報端末１０２は、近距離無線通信手段４１４、接続情報取得手段４１５、通信手段４１６、設定情報送信手段４１７、設定制御手段４１８、表示入力手段４１９を有する。
【００７３】
近距離無線通信手段４１４は、画像形成装置１０１と同じ通信方式（ＮＦＣ通信等）の近距離無線通信によって画像形成装置１０１と通信を行う手段であり、例えば、図３のＮＦＣ Ｉ／Ｆ部３０５、及びＣＰＵ３０１で動作するプログラム等によって実現される。
【００７４】
接続情報取得手段４１５は、近距離無線通信手段４１４を用いて画像形成装置１０１から画像形成装置１０１の接続情報を取得する手段であり、例えば、図３のＣＰＵ３０１で動作するプログラムによって実現される。接続情報取得手段４１５は、例えば、情報端末１０２の画像形成装置１０１に近接させたときに、ＮＦＣ通信等により画像形成装置１０１から通知される接続情報を取得する。
【００７５】
通信手段４１６は、情報端末１０２をネットワーク１０５に接続して、画像形成装置１０１等とデータの送受信を行うための手段であり、例えば、図３のネットワークＩ／Ｆ部３０６や、ＣＰＵ３０１で動作するプログラム等によって実現される。通信手段４１６は、例えば、接続情報取得手段４１５が取得した接続情報を用いて、情報端末１０２をネットワーク１０５に接続し、画像形成装置１０１等とのデータの通信を可能にする。
【００７６】
設定情報送信手段４１７は、利用者１０３によって設定された基本機能の設定情報（第１の設定情報）を、通信手段４１６を介して画像形成装置１０１に送信する手段であり、例えば、例えば、図３のＣＰＵ３０１で動作するプログラムによって実現される。設定情報送信手段４１７は、例えば、後述する機能選択画面や、基本機能の選択画面等を表示入力手段４１９に表示させ、利用者１０３によって設定された情報を、基本的な設定情報として画像形成装置１０１に送信する。
【００７７】
好ましくは、設定情報送信手段４１７は、表示入力手段４１９の、例えば、画面サイズや、解像度等の情報を、基本的な設定情報に含めて画像形成装置１０１に送信する。これにより、画像形成装置１０１は、情報端末１０２の表示入力手段４１９のサイズや、解像度等に応じた詳細機能の設定画面を作成することができる。
【００７８】
設定制御手段４１８は、画像形成装置１０１の設定画面提供手段４０４によって提供された、詳細な設定情報を設定するための設定画面を表示入力手段４１９に表示させて、利用者１０３による詳細な設定情報の設定（入力）を促す。設定制御手段４１８は、例えば、図３のＣＰＵ３０１で動作するプログラムによって実現される。
【００７９】
例えば、設定制御手段４１８は、図３のＣＰＵ３０１で動作するリモートデスクトップクライアントによって実現される。この場合、設定制御手段４１８は、画像形成装置１０１のリモートデスクトップサーバ（設定画面提供手段４０４）から提供された設定画面を表示入力手段４１９に表示させると共に、表示入力手段４１９への操作情報をリモートデスクトップサーバに送信する。
【００８０】
表示入力手段４１９は、情報端末１０２の操作画面や、画像形成装置１０１から提供された設定画面等を表示すると共に、利用者の入力操作を受付ける手段であり、例えば、図２の表示入力部３０７や、ＣＰＵ３０１で動作するプログラム等によって実現される。
【００８１】
上記構成により、利用者１０３は、情報端末１０２の表示入力手段４１９に基本的な設定情報を入力した後、情報端末１０２を画像形成装置１０１に近接させる。これにより、情報端末１０２は、画像形成装置１０１から接続情報を取得し、取得した接続情報を用いて、画像形成装置１０１に基本的な設定情報を送信する。続いて、情報端末１０２は、画像形成装置１０１から提供された詳細な設定情報の設定画面を表示入力手段４１９に表示させる。情報端末１０２は、利用者１０３によって詳細な設定情報の設定画面に入力された詳細な設定情報を用いて、画像形成装置１０１に画像処理の実行を要求する。
【００８２】
＜処理の流れ＞
（ユーザ操作の流れ）
図５は、第１の実施形態に係る情報端末に対するユーザ操作の流れを示すフローチャートである。尚、図５の処理の前に、情報端末１０２にインストールされた画像形成装置１０１に対応するアプリを起動させて、情報端末１０２の表示入力手段４１９に、処理を行う機能を選択するための機能選択画面が表示されている状態であるものとする。
【００８３】
ステップＳ５０１において、利用者１０３は、表示入力手段４１９に表示された機能選択画面から、利用する機能を選択する。
【００８４】
図６は、第１の実施形態に係る機能選択画面の例を示す図である。機能選択画面６００には、画像形成装置１０１が有する機能に対応するコピー６０１、スキャン６０２、ファックス６０３、及びプリント６０４等の機能が選択可能に表示される。機能選択画面６００から、例えば、コピー６０１のエリアを押下（タッチ）すると、コピー機能に関する基本機能の設定画面が表示される。
【００８５】
図７は、第１の実施形態に係る基本機能の設定画面の例を示す図である。図７の例では、基本機能の設定画面７００は、部数の設定欄７０１、カラーの設定欄７０２、原稿セット方向の設定欄７０３、給紙トレイの設定欄７０４、詳細な設定機能の使用の設定欄７０５、及びメッセージ欄７０６等を含む。
【００８６】
部数の設定欄７０１は、利用者１０３がコピー部数を入力するための設定欄である。カラーの設定欄７０２は、利用者１０３が、例えば、カラーコピーを行うか、白黒コピーを行うか等を選択するための設定欄である。原稿セット方向の設定欄７０３は、利用者１０３が、原稿をセットする方向、例えば、読める方向、読めない方向等を選択するための設定欄である。給紙トレイの設定欄７０４は、利用者１０３が、給紙トレイを選択するための設定欄である。
【００８７】
尚、上記の設定欄は、基本機能の設定画面７００に表示される設定欄の一例である。基本機能の設定画面７００は、上記の設定欄の全てを必ずしも含んでいなくても良いし、他の設定欄を含んでいても良い。要するに、基本機能の設定画面７００には、画像形成装置１０１の機種や、装着されているオプション等への依存度が低い、他の画像形成装置と共通の設定項目が含まれる。
【００８８】
また、基本機能の設定画面７００には、利用者１０３が、画像形成装置１０１の機種や、装着されているオプション等に依存する詳細な設定機能を使用するか否かを選択するための、詳細な設定機能の使用の設定欄７０５が含まれる。利用者１０３は、詳細な設定を行うことなく、基本機能の設定画面７００の設定内容に従って処理を行いたい場合、詳細な設定機能の使用の設定欄７０５から「使用しない」を選択する。一方、利用者１０３は、詳細な設定を行いたい場合、詳細な設定機能の使用の設定欄７０５から「使用する」を選択する。
【００８９】
メッセージ欄７０６には、ユーザへのメッセージが表示される。本実施形態では、利用者１０３が、情報端末１０２を画像形成装置１０１に近接させることによって画像処理を開始するので、メッセージ欄７０６には、情報端末１０２を画像形成装置１０１に近接させることを促すメッセージが表示されている。
【００９０】
図５に戻ってフローチャートの説明を続ける。
【００９１】
ステップＳ５０２において、利用者１０３は、例えば、図７に示す基本機能の設定画面７００に基本的な設定情報、例えば、部数、カラー、原稿セット方向、給紙トレイ等の設定情報を設定（入力）する。
【００９２】
ステップＳ５０３において、詳細な設定情報の設定を行う場合、利用者１０３は詳細な設定情報の使用を有効に設定する（ステップＳ５０４）。例えば、利用者１０３は、図７の基本機能の設定画面７００において、詳細な設定機能の使用の設定欄７０５を「使用する」に設定する。
【００９３】
ステップＳ５０５において、利用者１０３は、基本機能の設定画面７００の設定を終えると、情報端末１０２を画像形成装置１０１の近距離無線通信手段４０６（図２のＮＦＣ Ｒ／Ｗ部２０８等）に近接させる（かざす）。これにより、情報端末１０２には、画像形成装置１０１によって提供される詳細機能の設定画面が表示される。
【００９４】
図８は、第１の実施形態に係る詳細機能の設定画面の一例を示す図である。図８の例では、詳細機能の設定画面８００には、両面設定の設定欄８０１、印字の設定欄８０２、ソートの設定欄８０３等が表示されている。また、基本機能の設定によって、詳細な設定が行えない項目、例えば、ステープルの設定欄８０４は、グレーアウトされ設定できないように表示されている。さらに、詳細機能の設定画面８００には、処理の開始を指示するための開始ボタン８０５が表示されている。
【００９５】
尚、基本機能の設定よって詳細な設定が行えない項目とは、例えば、画像形成装置１０１が、用紙サイズがＡ５以下の給紙トレイに対してステープル機能を利用できない場合、原稿セット方向によってステープルで左を選択できない場合等が含まれる。このように画像形成装置１０１が同時に利用できない機能の情報は、例えば、記憶手段４０９等に記憶されていることが望ましい。
【００９６】
両面設定の設定欄８０１は、利用者１０３が、両面処理の設定、例えば、左に開く、右に開く、上に開く等を選択するための設定欄である。
【００９７】
印字の設定欄８０２は、利用者１０３が、例えば、スタンプ印字を行うか否か等を選択するための設定欄である。
【００９８】
ソートの設定欄８０３は、利用者１０３が、例えば、ソートを行うか否か等を選択するための設定欄である。
【００９９】
ステープルの設定欄８０４は、利用者１０３が、ステープルの位置や、ステープルの有無等を選択するための設定欄である。
【０１００】
尚、上記の設定欄は、詳細機能の設定画面８００に表示される設定欄の一例である。詳細機能の設定画面８００は、上記の設定欄の全てを必ずしも含んでいなくても良いし、他の設定欄を含んでいても良い。要するに、詳細機能の設定画面８００には、画像形成装置１０１の機種や、装着されているオプション等の機器構成に依存する詳細な設定項目が含まれる。
【０１０１】
また、利用者１０３は、開始ボタン８０５を押下（タッチ）することにより、画像形成装置１０１に画像処理（例えばコピー）の開始を指示することができる。
【０１０２】
図９は、第１の実施形態に係る詳細機能の設定画面の別の一例を示す図である。詳細機能の設定画面８００は、図８に示す表示内容に加えて、詳細機能の設定を行わないための設定ボタン９０１、基本機能の設定画面に戻るための設定ボタン９０２、処理をキャンセルするための設定ボタン９０３等を含む。
【０１０３】
利用者１０３は、例えば、詳細機能の設定を行わずに画像処理を開始したい場合、詳細機能の設定を行わないための設定ボタン９０１と、開始ボタン８０５を押下することにより、基本機能の設定に従って画像処理を開始することができる。
【０１０４】
また、利用者１０３は、例えば、基本機能の設定を見直したい場合、基本機能の設定画面に戻るための設定ボタン９０２を押下することにより、基本機能の設定画面７００に戻ることができる。
【０１０５】
さらに、利用者１０３は、画像処理を中止（キャンセル）したい場合、処理をキャンセルするための設定ボタン９０３を押下することにより、処理を中止することができる。
【０１０６】
尚、上記の詳細機能の設定画面８００は一例である。詳細機能の設定画面８００は、例えば、図８のような設定画面において、所定の時間内（例えば１０分以内）に開始ボタン８０５を押下しないと自動的に処理を中止するものであっても良い。或いは、情報端末１０２は、情報端末１０２への所定の操作（例えば、情報端末１０２を振る、傾ける等）を検知して、基本機能の設定画面７００に戻るもの等であっても良い。
【０１０７】
再び、図５に戻ってフローチャートの説明を続ける。
【０１０８】
ステップＳ５０６において、利用者１０３は、詳細機能の設定画面に詳細な設定情報を入力する。
【０１０９】
ステップＳ５０７において、利用者１０３は、詳細機能の設定画面８００の設定を終えると、開始ボタン８０５を押下する。これにより、利用者１０３は、画像形成装置１０１に画像処理の開始を指示する。
【０１１０】
一方、ステップＳ５０３において、詳細な設定情報の設定を行わない場合、ステップＳ５０８において、利用者１０３は詳細な設定情報の使用を無効に設定する。例えば、利用者１０３は、図７の基本機能の設定画面７００において、詳細な設定機能の使用の設定欄７０５を「使用しない」に設定する。
【０１１１】
続いて、利用者１０３は、情報端末１０２を画像形成装置１０１の近距離無線通信手段４０６に近接させる。これにより、利用者１０３は、画像形成装置１０１に画像処理の開始を指示する。
【０１１２】
図１０は、第１の実施形態に係る画像処理の例を示すシーケンスチャートである。このシーケンスチャートは、主に、図５に示した利用者１０３の操作に応じて、情報端末１０２と画像形成装置１０１との間で行われる処理の流れを示す。尚、図１０において、破線の矢印は、利用者１０３による情報端末１０２への操作を示している。
【０１１３】
ステップＳ１００１において、利用者１０３は、機能選択画面６００等により使用する機能を選択し、基本機能の設定画面７００等により基本機能の設定を行う。尚、図１０の例では、基本機能の設定画面７００における詳細な設定機能の設定欄７０５は、「使用する」に設定されているものとする。
【０１１４】
ステップＳ１００２において、利用者１０３は、情報端末１０２を画像形成装置１０１の近距離無線通信手段４０６に近接させる。これにより、情報端末１０２と画像形成装置１０１との間のＮＦＣ通信等の近距離無線通信が確立され、ＮＦＣ通信によるデータの送受信が行えるようになる。
【０１１５】
ステップＳ１００３において、情報端末１０２の接続情報取得手段４１５は、近距離無線通信手段４１４を介して、ＮＦＣ通信で画像形成装置１０１に接続情報を要求する。
【０１１６】
ステップＳ１００４において、画像形成装置１０１の接続情報通知手段４０７は、情報端末からの接続情報の要求に対して、記憶手段４０９に記憶された接続情報４１０を、近距離無線通信手段４０６を介して、ＮＦＣ通信で情報端末１０２に通知する。
【０１１７】
ステップＳ１００５において、情報端末１０２の設定情報送信手段４１７は、画像形成装置１０１から通知された接続情報を用いて、画像形成装置１０１に、ステップＳ１００１で設定された基本機能の設定情報（第１の設定情報）を送信する。この第１の設定情報には、例えば、利用者１０３が利用したい機能（例えばコピー）の情報、部数の設定情報、カラーの設定情報、及び詳細な設定機能を使用することを示す情報等が含まれる。
【０１１８】
ステップＳ１００６において、画像形成装置１０１の設定情報受信手段４０２は、情報端末１０２から基本機能の設定情報を受信すると、受信した情報を情報端末１０２の識別情報に対応付けて、記憶手段４０９に、例えば、基本設定情報４１３として記憶する。
【０１１９】
尚、情報端末１０２の識別情報は、情報端末１０２から受信した受信フレームに含まれる情報端末１０２を特定するための情報である。この情報端末１０２の識別情報は、例えば、情報端末１０２が送信するＬＡＮフレーム等に自動的に付加される送信元ＩＰアドレスや、送信元ＭＡＣアドレス等の情報を用いることができる。或いは、情報端末１０２の識別情報は、情報端末１０２が基本機能の設定情報に付加して送信した所定の形式の識別情報等を用いるものであっても良い。
【０１２０】
ステップＳ１００７において、画像形成装置１０１の設定画面作成手段４０３は、設定情報受信手段４０２が受信した基本機能の設定情報、又は記憶手段４０９に記憶された基本設定情報４１３に基づいて、詳細機能の設定画面８００を作成する。
【０１２１】
ステップＳ１００８において、画像形成装置１０１は、詳細機能の設定画面８００の作成が完了したことを情報端末１０２に通知する。
【０１２２】
ステップＳ１００９において、情報端末１０２は、画像形成装置１０１に作成された詳細機能の設定画面８００の転送を要求する。例えば、情報端末１０２は、設定制御手段４１８（リモートデスクトップクライアント等）により、設定画面提供手段４０４（リモートデスクトップサーバ等）への接続を要求する。
【０１２３】
ステップＳ１０１０において、画像形成装置１０１は、情報端末１０２に詳細機能の設定画面８００を転送する。例えば、画像形成装置１０１の設定画面提供手段４０４は、リモートデスクトップ機能により、詳細機能の設定画面を情報端末１０２の設定制御手段４１８に転送する。
【０１２４】
ステップＳ１０１１において、情報端末１０２の設定制御手段４１８は、画像形成装置１０１から転送された詳細機能の設定画面８００を表示入力手段４１９に表示させる。
【０１２５】
ステップＳ１０１２において、利用者１０３は、表示入力手段４１９に表示された詳細機能の設定画面８００にて、詳細機能の設定を行う。
【０１２６】
ステップＳ１０１３において、利用者１０３は、詳細機能の設定を終えた後、詳細機能の設定画面８００の開始ボタン８０５を押下する。
【０１２７】
ステップＳ１０１４において、情報端末１０２は、詳細機能の設定画面８００で設定された設定情報や、開始ボタン８０５の押下による画像処理の実行要求等の情報を、例えば、リモートデスクトップの機能により、画像形成装置１０１に送信する。
【０１２８】
ステップＳ１０１５において、情報端末１０２から詳細機能の設定情報を受信した画像形成装置１０１は、受信フレームに含まれる情報端末１０２の識別情報に対応付けて記憶手段４０９に記憶されている基本設定情報４１３を読み出す。また、画像処理手段４０５は、読み出された基本設定情報４１３（第１の設定情報）と、詳細機能の設定画面８００で設定された詳細な設定情報（第２の設定情報）とに基づいて画像処理を実行する。
【０１２９】
［第２の実施形態］
第１の実施形態では、画像形成装置１０１は、例えば、図１０のステップＳ１００７において詳細機能の設定画面を作成して、ステップＳ１００８において、作成した詳細設定画面を情報端末１０２に提供していた。この方法では、例えば、詳細な機能の数が多い場合、多数の設定項目がある機能を含む場合、情報端末１０２の表示画面が小さい場合等、詳細機能の設定画面に全ての設定項目を表示しきれない場合等が考えられる。
【０１３０】
そこで、本実施形態では、画像形成装置１０１が有する機能の一覧を情報端末１０２に表示させ、利用者１０３によって選択された機能に関する詳細機能の設定画面を、画像形成装置１０１が提供する場合の例について説明する。
【０１３１】
＜機能構成＞
図１１は、第２の実施形態に係る画像処理システムの機能構成例を示す図である。本実施形態に係る画像形成装置１０１は、図４に示す第１の実施形態の機能構成に加えて、機能情報通知手段１１０１を有する。また、本実施形態に係る画像形成装置１０１は、図４に示す第１の実施形態の設定画面作成手段４０３に代えて、設定画面選択手段１１０２を有する。さらに、記憶手段４０９には、設定画面情報１１０３が記憶されている。尚、他の構成は、図４に示す第１の実施形態の機能構成と同様なので、ここでは差分を中心に説明を行う。
【０１３２】
機能情報通知手段１１０１は、画像形成装置１０１が有する機能に関する情報を情報端末１０２に通知する手段であり、例えば、図２のＣＰＵ２０９で動作するプログラムによって実現される。機能情報通知手段１１０１は、設定情報受信手段４０２が受信した第１の設定情報に、機能の一覧を要求する情報が含まれる場合、記憶手段４０９の機器構成情報４１１等に基づいて、画像形成装置１０１の機器構成に応じた機能の一覧の情報を情報端末１０２に通知する。
【０１３３】
設定画面選択手段１１０２は、機能情報通知手段１１０１が情報端末１０２に通知した機能の一覧の中から、情報端末１０２の利用者１０３によって選択された機能に係る詳細設定画面を、記憶手段４０９に記憶された設定画面情報１１０３から選択する。設定画面選択手段１１０２は、例えば、図２のＣＰＵ２０９で動作するプログラムによって実現される。
【０１３４】
設定画面情報１１０３には、画像形成装置１０１が有する機能毎の詳細機能の設定画面が含まれる。設定画面情報１１０３に含まれる詳細機能の設定画面は、例えば、画像形成装置１０１の表示入力手段４０８等に表示される設定画面等を用いることができる。
【０１３５】
尚、本実施形態においても、図１１の設定画面選択手段１１０２に代えて、図４の設定画面作成手段４０３を有し、設定画面作成手段４０３が詳細機能の設定画面を作成するものであっても良い。
【０１３６】
＜処理の流れ＞
図１２は、第２の実施形態に係る情報端末に対するユーザの操作の流れを示すフローチャートである。尚、図１２のステップＳ５０１、Ｓ５０２までの処理は、第１の実施形態と同様なので、ここでは差分を中心に説明を行う。
【０１３７】
ステップＳ１２０１において、利用者１０３が、基本機能の設定画面の中で、機能の一覧を表示するか否かによって処理が分かれる。
【０１３８】
ステップＳ１２０１において、利用者１０３が、画像形成装置１０１の機能の一覧を表示させたい場合、ステップＳ１２０２へ移行し、基本機能の設定画面の機能一覧を有効に設定する。
【０１３９】
図１３は、第２の実施形態に係る基本機能の設定画面の例を示す図である。本実施形態に係る基本機能の設定画面７００は、図７に示す第１の実施形態の詳細な設定機能の使用の設定欄７０５に代えて、「コピー機能の一覧」ボタン１２０１を含む。利用者１０３は、画像形成装置１０１が有する機能の一覧を表示させたい場合、このボタンを押下（タッチ）して、機能一覧を有効に設定する。尚、「コピー機能の一覧」ボタン１２０１は、機能一覧を有効にするためのボタンの一例である。例えば、図６に示す機能選択画面６００において、スキャン機能が選択されている場合には、「コピー機能の一覧」ボタン１２０１に代えて「スキャン機能の一覧」ボタンが表示される。
【０１４０】
図１２に戻ってフローチャートの説明を続ける。
【０１４１】
ステップＳ１２０３において、利用者１０３は、情報端末１０２を画像形成装置１０１の近距離無線通信手段４０６に近接させる。これにより、情報端末１０２の表示入力手段４１９には、後述する機能の一覧画面が表示される。
【０１４２】
ステップＳ１２０４において、利用者１０３は、情報端末１０２の表示入力手段４１９に表示された機能の一覧画面から、詳細な設定を行う機能を選択する。これにより、情報端末１０２の表示入力手段４１９には、選択された機能に関する詳細な設定画面が表示される。
【０１４３】
ステップＳ１２０５において、利用者１０３は、表示入力手段４１９に表示された詳細な設定画面に設定情報を設定（入力）する。
【０１４４】
ステップＳ１２０６において、利用者１０３は、詳細な設定情報の設定を終えた後、開始ボタンを押下する。これにより、画像形成装置１０１による画像処理が開始される。
【０１４５】
図１４は、第２の実施形態に係る機能の一覧画面の例を示す図である。機能の一覧画面１４００には、画像形成装置１０１が有する機能に対応する地紋ボタン１４０１、スタンプボタン１４０２、ステープルボタン１４０３、両面スキャンボタン１４０４等が表示されている。利用者１０３は、例えば、スタンプ機能を設定したい場合、スタンプボタン１４０２を押下（タッチ）することにより、スタンプ関連の詳細設定画面を呼び出すことができる。尚、図１４の機能の一覧画面１４００に表示されている各ボタンはあくまで一例である。機能の一覧画面１４００には、画像形成装置１０１の機種や、装着されているオプション等の機器構成に応じた設定可能な機能に対応するボタンが表示される。
【０１４６】
図１５は、第２の実施形態に係る詳細機能の設定画面の例を示す図である。図１５において、詳細画面の設定画面１５００は、操作画面１５０１、開始ボタン１５０２、コピー機能一覧ボタン１５０３等を含む。
【０１４７】
操作画面１５０１は、例えば、画像形成装置１０１の表示入力手段４０８（例えば、ＭＦＰの操作パネル等）に表示される操作画面等を想定している。図１５の例では、操作画面１５０１の一例として、スタンプ関連の設定を行うための操作画面１５０１が表示されている。利用者１０３は、この操作画面１５０１の各部にタッチすることにより、画像形成装置１０１の表示入力手段４０８で操作を行う場合と同様にスタンプ機能の詳細設定を行うことができる。
【０１４８】
開始ボタン１５０２は、操作画面１５０１による詳細機能の設定を終えた後、利用者１０３が画像形成装置１０１に画像処理の開始を要求するためのボタンである。
【０１４９】
コピー機能一覧ボタン１５０３は、利用者１０３がスタンプ関連の機能以外にも、例えば、両面スキャンの設定を行いたい場合、このボタンにタッチすることにより、図１４の機能の一覧画面に戻ることができる。
【０１５０】
尚、図１５のように、画像形成装置１０１の設定画面を、詳細機能の設定画面１５００に利用するのはあくまで一例である。本実施形態においても、情報端末１０２の画面サイズや解像度等に応じて画像形成装置１０１が詳細な設定画面を作成するものであっても良い。
【０１５１】
図１６は、第２の実施形態に係る画像処理の例を示すシーケンスチャートである。尚、図１６のステップＳ１００１〜Ｓ１００４までの処理は図１０に示す第１の実施形態の処理と同様なので、ここでは差分を中心に説明を行う。
【０１５２】
ステップＳ１５０１において、情報端末１０２の設定情報送信手段４１７は、画像形成装置１０１から通知された接続情報を用いて、画像形成装置１０１に、ステップＳ１００１で設定された基本機能の設定情報（第１の設定情報）を送信する。この第１の設定情報には、例えば、利用者１０３が利用したい機能（例えばコピー）の情報、部数の設定情報、カラーの設定情報、及び機能の一覧を表示することを示す情報等が含まれる。
【０１５３】
ステップＳ１５０２において、画像形成装置１０１の設定情報受信手段４０２は、情報端末１０２から基本機能の設定情報を受信すると、受信した情報を記憶手段４０９に、例えば、基本設定情報４１３として記憶する。また、設定情報受信手段４０２は、受信した基本機能の設定情報に、機能の一覧を表示することを示す情報が含まれている場合、その旨を機能情報通知手段１１０１に通知する。
【０１５４】
ステップＳ１５０３において、設定情報受信手段４０２から通知を受けた機能情報通知手段１１０１は、記憶手段４０９に記憶された機器構成情報４１１等に基づいて、画像形成装置１０１の機器構成に応じた機能の一覧情報を情報端末１０２に送信する。
【０１５５】
ステップＳ１５０４において、情報端末１０２の設定制御手段４１８は、画像形成装置１０１から受信した機能の一覧情報に基づいて、例えば、図１４の機能の一覧画面１４００を表示入力手段４１９に表示させる。
【０１５６】
ステップＳ１５０５において、利用者１０３が、表示された機能の一覧画面１４００から設定する機能を選択すると、情報端末１０２の設定制御手段４１８は、選択された機能の情報（第３の設定情報）を画像形成装置１０１に送信する（ステップＳ１５０６）。
【０１５７】
ステップＳ１５０７において、画像形成装置１０１の設定画面選択手段１１０２は、情報端末１０２から受信した機能の情報に基づいて、記憶手段４０９に記憶された設定画面情報１１０３から、情報端末１０２に表示させる詳細機能の設定画面を選択する。
【０１５８】
ステップＳ１５０８において、画像形成装置１０１の設定画面提供手段４０４は、設定画面選択手段１１０２が選択した詳細機能の設定画面１５００を、情報端末１０２に送信する。
【０１５９】
ステップＳ１５０９において、情報端末１０２の設定制御手段４１８は、表示入力手段４１９に、画像形成装置１０１にから転送された詳細機能の設定画面１５００を表示させる。
【０１６０】
ステップＳ１５１０において、利用者１０３が詳細機能の設定画面１５００から詳細機能の設定を行い、開始ボタン１５０２を押下する（ステップＳ１５１１）。
【０１６１】
ステップＳ１５１２において、情報端末１０２は、詳細機能の設定画面１５００で設定された設定情報（第２の設定情報）や、開始ボタン１５０２の押下による画像処理の実行要求等の情報を、画像形成装置１０１に送信する。
【０１６２】
ステップＳ１５１３において、画像形成装置１０１の画像処理手段４０５は、記憶手段４０９に記憶された基本設定情報４１３（第１の設定情報）と、詳細機能の設定画面１５００で設定された詳細な設定情報（第２の設定情報）に基づいて画像処理を実行する。
【０１６３】
上記処理により、画像形成装置１０１が有する詳細機能の設定項目が多い場合等、画像形成装置１０１は、画像形成装置１０１が有する機能の一覧の中から選択された機能についての詳細な設定画面を情報端末１０２に転送することができる。また、図１５に示すように、画像形成装置１０１の設定画面を詳細機能の設定画面１５００として利用することができるようになる。
【０１６４】
尚、図１６の処理は一例である。例えば、詳細機能の設定画面１５００において、利用者１０３は、開始ボタン１５０２の押下する代わりに、情報端末１０２を画像形成装置１０１の近距離無線通信手段４０６に近接させて、画像形成装置１０１に画像処理の開始を要求するものであっても良い。
【０１６５】
また、図１６ステップＳ１５０５において、表示された機能の一覧画面１４００で選択される機能は、複数であっても良い。この場合、ステップＳ１５０９において表示される詳細機能の設定画面１５００に、複数の操作画面１５０１を切替えるためのボタンを表示させて、複数の操作画面１５０１を切替えできるようにすると良い。
【０１６６】
また、画像処理装置は複合機やプリンタ、スキャナ等に加えて、プロジェクタや電子黒板等であっても良い。
【０１６７】
＜まとめ＞
本実施形態に係る画像処理装置（１０１）は、
情報端末（１０２）から第１の設定情報を受信する受信手段（４０２）と、
前記受信した第１の設定情報に基づいて第２の設定情報を設定するための設定画面（８００）を前記情報端末（１０２）に提供する提供手段（４０４）と、
前記受信した第１の設定情報と、前記設定画面（８００）によって設定された第２の設定情報とに基づいて画像処理を実行する画像処理手段（４０５）と、を有する。
【０１６８】
上記構成により、画像処理装置（１０１）は、情報端末１０２から受信した第１の設定情報に基づいて、第２の設定情報を設定するための設定画面を情報端末１０２に提供する。これにより、情報端末１０２のアプリは、第２の設定情報を設定するための設定画面や設定情報等を有していなくても良い。また、新たな機種が発売されても、アプリケーションに新たな機能や、設定画面等の情報の追加を行わなくても良い。
【０１６９】
従って、本実施形態に係る画像処理装置（１０１）によれば、スマートデバイス等の情報端末（１０２）から、画像処理装置（１０１）の機器構成に応じた詳細な機能を利用する際の利便性を向上させることができる。
【０１７０】
尚、上記括弧内の参照符号は、理解を容易にするために付したものであり、一例に過ぎず、本発明の範囲を限定するものではない。
【符号の説明】
【０１７１】
１００    画像処理システム
１０１    画像形成装置（画像処理装置）
１０２    情報端末
４０２    設定情報受信手段（受信手段）
４０３    設定画面作成手段（作成手段）
４０４    設定画面提供手段（提供手段）
４０５    画像処理手段
４０７    接続情報通知手段
４１９    表示入力手段
１１０１    機能情報通知手段
【先行技術文献】
【特許文献】
【０１７２】
【特許文献１】特開２００７−０７４１６２号公報
【図１】
2016168708.tif 000005
【図２】
2016168708.tif 000006
【図３】
2016168708.tif 000007
【図４】
2016168708.tif 000008
【図５】
2016168708.tif 000009
【図６】
2016168708.tif 000010
【図７】
2016168708.tif 000011
【図８】
2016168708.tif 000012
【図９】
2016168708.tif 000013
【図１０】
2016168708.tif 000014
【図１１】
2016168708.tif 000015
【図１２】
2016168708.tif 000016
【図１３】
2016168708.tif 000017
【図１４】
2016168708.tif 000018
【図１５】
2016168708.tif 000019
【図１６】
2016168708.tif 000020